(57)【要約】【課題】  従来にない、新規な構成を有し、興趣有る変形を行うことができる形態変化玩具を提供する。【解決手段】  玩具本体１０は、駆動部２０と、駆動部２０によって駆動される駆動カム５１を備え、さらに、第１の変形部９０と第２の変形部１１８が設けられている。第１の変形部９０は、第１の位置から第２の位置に変形可能であり、弾性部材９９により付勢され、第１の位置で第１の係止部材６０に係止されている。第２の変形部１１８は、第３の位置から第４の位置に変形可能であり、弾性部材１１７により付勢され、第３の位置で第２の係止部材７０に係止されている。駆動カム５１は、回転すると第１の係止部材６０の係止を解除して第１の変形部９０を第２の位置に変形させ、次に第２の係止部材７０の係止を解除して第２の変形部１１８を第４の位置に変形させて形態を変化させる。【選択図】  図１
2013244198.tif 000002
【特許請求の範囲】
【請求項１】
玩具本体を有し、
玩具本体は、駆動部と、駆動部によって駆動される駆動カムと、少なくとも第１の変形部と第２の変形部が設けられ、
第１の変形部は、第１の位置から第２の位置に変形可能であり、弾性部材により第２の位置の方向に付勢され、弾性部材の弾性に抗して第１の位置で第１の係止部材に係止され、
第２の変形部は、第３の位置から第４の位置に変形可能であり、弾性部材により第４の位置の方向に付勢され、弾性部材の弾性に抗して第３の位置で第２の係止部材に係止され、
前記駆動カムは、回転すると第１の係止部材の係止を解除して第１の変形部を第２の位置に変形させ、次に第２の係止部材の係止を解除して第２の変形部を第４の位置に変形させて形態を変化させるように構成されていることを特徴とする形態変化玩具。
【請求項２】
玩具本体を有し、
玩具本体は、駆動部と、駆動部によって駆動される駆動輪と駆動カムを備え、さらに、第１の変形部と第２の変形部が設けられ、
第１の変形部は、第１の位置から第２の位置に変形可能であり、弾性部材により第２の位置の方向に付勢され、弾性部材の弾性に抗して第１の位置で第１の係止部材に係止され、
第２の変形部は、第３の位置から第４の位置に変形可能であり、弾性部材により第４の位置の方向に付勢され、弾性部材の弾性に抗して第３の位置で第２の係止部材に係止され、
前記駆動カムは、回転すると第１の係止部材の係止を解除して第１の変形部を第２の位置に変形させ、次に第２の係止部材の係止を解除して第２の変形部を第４の位置に変形させて形態を変化させるように構成されていることを特徴とする形態変化玩具。
【請求項３】
第１の変形部は、一対の車輪を有し、
玩具本体は、駆動輪と一対の車輪が接地している時は自動車形態となり、走行中に駆動カムが回転して第１の変形部が変形して起立し、一対の車輪が接地した状態で駆動輪が接地面から離れ、さらに第２の変形部が変形してロボット形態となることを特徴とする請求項２記載の形態変化玩具。
【請求項４】
玩具本体は、第３の変形部が設けられ、
第３の変形部は、第５の位置から第６の位置に変形可能であり、弾性部材により第６の位置の方向に付勢され、弾性部材の弾性に抗して第５の位置で第１の位置にある第１の変形部に係止され、第１の変形部の変形により係止が解除され、第６の位置に変形して形態を変化させるように構成されていることを特徴とする請求項２記載の形態変化玩具。
【請求項５】
第１の変形部は、一対の車輪を有し、
玩具本体は、駆動輪と一対の車輪が接地している時は自動車形態となり、走行中に駆動カムが回転して第１の変形部が変形して起立し、一対の車輪が接地した状態で駆動輪が接地面から離れ、さらに第１の変形部の変形により第３の変形部が変形し、次に第２の変形部が変形してロボット形態となることを特徴とする請求項４記載の形態変化玩具。
【請求項６】
玩具本体を有し、
玩具本体は、駆動部と、駆動部によって駆動される駆動カムと、第１の変形部と、第３の変形部が設けられ、
第１の変形部は、第１の位置から第２の位置に変形可能であり、弾性部材により第２の位置の方向に付勢され、弾性部材の弾性に抗して第１の位置で第１の係止部材に係止され、
第３の変形部は、第５の位置から第６の位置に変形可能であり、弾性部材により第６の位置の方向に付勢され、弾性部材の弾性に抗して第５の位置で第１の位置にある第１の変形部に係止され、
前記駆動カムは、回転すると第１の係止部材の係止を解除して第１の変形部を第２の位置に変形させ、第１の変形部の変形により第３の変形部の係止が解除され、第３の変形部を第６の位置に変形させて形態を変化させるように構成されていることを特徴とする形態変化玩具。
【請求項７】
玩具本体を有し、
玩具本体は、駆動部と、駆動部によって駆動される駆動輪と駆動カムを備え、さらに、第１の変形部と第３の変形部が設けられ、
第１の変形部は、第１の位置から第２の位置に変形可能であり、弾性部材により第２の位置の方向に付勢され、弾性部材の弾性に抗して第１の位置で第１の係止部材に係止され、
第３の変形部は、第５の位置から第６の位置に変形可能であり、弾性部材により第６の位置の方向に付勢され、弾性部材の弾性に抗して第５の位置で第１の位置にある第１の変形部に係止され、
前記駆動カムは、回転すると第１の係止部材の係止を解除して第１の変形部を第２の位置に変形させ、第１の変形部の変形により第３の変形部の係止が解除され、第３の変形部を第６の位置に変形させて形態を変化させるように構成されていることを特徴とする形態変化玩具。
【請求項８】
第１の変形部は、一対の車輪を有し、
玩具本体は、駆動輪と一対の車輪が接地している時は自動車形態となり、走行中に駆動カムが回転して第１の変形部が変形して起立し、一対の車輪が接地した状態で駆動輪が接地面から離れ、さらに第１の変形部の変形により第３の変形部が変形してロボット形態となることを特徴とする請求項７記載の形態変化玩具。
【請求項９】
玩具本体は、駆動部によって回転する歯車群が設けられ、
第１の変形部には、前記一対の車輪と連動すると共に、第１の位置にある時には、歯車群から離れ、第２の位置にある時には、歯車群の一つの歯車と噛み合う従動歯車が設けられていることを特徴とする請求項３、５又は８記載の形態変化玩具。
【請求項１０】
玩具本体を有し、
玩具本体は、駆動部と、駆動部によって回転する歯車群と、駆動部によって駆動される駆動輪と駆動カムを備え、さらに、第１の変形部が設けられ、
第１の変形部は、第１の位置から第２の位置に変形可能であり、弾性部材により第２の位置の方向に付勢され、弾性部材の弾性に抗して第１の位置で第１の係止部材に係止され、
前記駆動カムは、回転すると第１の係止部材の係止を解除して第１の変形部を第２の位置に変形させて形態を変化させるように構成され、
第１の変形部は、一対の車輪と一対の車輪と連動する従動歯車を有し、
玩具本体は、駆動輪と一対の車輪が接地している時は第１の変形部が第１の位置にあって、自動車形態となり従動歯車が歯車群から離れて駆動輪で走行し、走行中に駆動カムが回転して第１の変形部が第２の位置に移動して起立したロボット形態となり、一対の車輪が接地した状態で駆動輪が接地面から離れて、歯車群の一つの歯車が従動歯車と噛み合って一対の車輪で歩行することを特徴とする形態変化玩具。
【請求項１１】
ロボット形態の玩具本体と、玩具本体を覆う自動車形態のカバー体を有し、
玩具本体は、駆動部と、駆動部によって駆動される駆動輪と駆動カムを備え、さらに、足部形状の第１の変形部が設けられ、
足部形状の第１の変形部は、一対の車輪を有し、折り畳んだ第１の位置から突出した第２の位置に変形可能であり、弾性部材により突出した第２の位置の方向に付勢され、弾性部材の弾性に抗して折り畳んだ第１の位置で第１の係止部材に係止され、
前記カバー体には、頭部形状の第２の変形部が設けられ、
頭部形状の第２の変形部は、カバー体に収納された第３の位置からカバー体から突出した第４の位置に変形可能であり、弾性部材により突出した第４の位置の方向に付勢され、弾性部材の弾性に抗してカバー体に収納された第３の位置で第２の係止部材に係止され、
前記駆動カムは、回転すると第１の係止部材の係止を解除して足部形状の第１の変形部を突出した第２の位置に変形させ、次に第２の係止部材の係止を解除して頭部形状の第２の変形部を突出した第４の位置に変形させるように構成され、
駆動輪と一対の車輪が接地している時は自動車形態となり、走行中に駆動カムが回転して足部形状の第１の変形部が突出して玩具本体を起立させ、一対の車輪が接地した状態で駆動輪が接地面から離れ、頭部形状の第２の変形部が突出してロボット形態となることを特徴とする形態変化玩具。
【請求項１２】
前記カバー体は、背部形状の第３の変形部が設けられ、
背部形状の第３の変形部は、カバー体に収納された第５の位置からカバー体から突出した第６の位置に変形可能であり、弾性部材により第６の位置の方向に付勢され、弾性部材の弾性に抗してカバー体に収納された第５の位置で第１の位置にある足部形状の第１の変形部に係止され、足部形状の第１の変形部の変形により係止が解除され、カバー体から突出した第６の位置に変形するように構成され、
駆動輪と一対の車輪が接地している時は自動車形態となり、走行中に駆動カムが回転して足部形状の第１の変形部が突出して玩具本体を起立させ、一対の車輪が接地した状態で駆動輪が接地面から離れ、足部形状の第１の変形部の変形により背部形状の第３の変形部がカバー体に収納された状態から突出し、頭部形状の第２の変形部が突出してロボット形態となることを特徴とする請求項１１記載の形態変化玩具。
【請求項１３】
ロボット形態の玩具本体と、玩具本体を覆う自動車形態のカバー体を有し、
玩具本体は、駆動部と、駆動部によって駆動される駆動輪と駆動カムを備え、さらに、足部形状の第１の変形部が設けられ、
足部形状の第１の変形部は、一対の車輪を有し、折り畳んだ第１の位置から突出した第２の位置に変形可能であり、弾性部材により突出した第２の位置の方向に付勢され、弾性部材の弾性に抗して折り畳んだ第１の位置で第１の係止部材に係止され、
前記カバー体は、背部形状の第３の変形部が設けられ、
背部形状の第３の変形部は、カバー体に収納された第５の位置からカバー体から突出した第６の位置に変形可能であり、弾性部材により第６の位置の方向に付勢され、弾性部材の弾性に抗してカバー体に収納された第５の位置で第１の位置にある足部形状の第１の変形部に係止され、
前記駆動カムは、回転すると第１の係止部材の係止を解除して足部形状の第１の変形部を突出した第２の位置に変形させ、次に足部形状の第１の変形部の変形により背部形状の第３の変形部の係止が解除され、背部形状の第３の変形部をカバー体から突出した第６の位置に変形させるように構成され、
駆動輪と一対の車輪が接地している時は自動車形態となり、走行中に駆動カムが回転して足部形状の第１の変形部が突出して玩具本体を起立させ、一対の車輪が接地した状態で駆動輪が接地面から離れ、足部形状の第１の変形部の変形により背部形状の第３の変形部がカバー体に収納された状態から突出してロボット形態となることを特徴とする形態変化玩具。
【請求項１４】
玩具本体は、駆動部によって回転する歯車群が設けられ、
足部形状の第１の変形部には、前記一対の車輪と連動すると共に、自動車形態の時には、歯車群から離れ、ロボット形態の時には、歯車群の一つの歯車と噛み合う従動歯車が設けられ、ロボット形態時に一対の車輪が駆動部によって強制的に回転させられて起立走行することを特徴とする請求項１１、１２又は１３記載の形態変化玩具。
【請求項１５】
ロボット形態の玩具本体を有し、
玩具本体は、駆動部と、駆動部によって回転する歯車群と、駆動部によって駆動される駆動輪と駆動カムを備え、さらに、足部形状の第１の変形部が設けられ、
足部形状の第１の変形部は、一対の車輪と一対の車輪と連動する従動歯車を有し、突出した第２の位置に変形可能であり、弾性部材により突出した第２の位置の方向に付勢され、弾性部材の弾性に抗して折り畳んだ第１の位置で第１の係止部材に係止され、
前記駆動カムは、回転すると第１の係止部材の係止を解除して足部形状の第１の変形部を突出した第２の位置に変形させるように構成され、
玩具本体は、駆動輪と一対の車輪が接地している時は足部形状の第１の変形部が第１の位置にあって、自動車形態となり従動歯車が歯車群から離れ駆動輪で走行し、走行中に駆動カムが回転して足部形状の第１の変形部が第２の位置に突出して起立したロボット形態となり、一対の車輪が接地した状態で駆動輪が接地面から離れて、歯車群の一つの歯車が従動歯車と噛み合って一対の車輪で起立走行することを特徴とする形態変化玩具。
【請求項１６】
玩具本体には、駆動部の動力を駆動カムに伝達する伝達手段と、伝達手段を伝達位置と非伝達位置に切り替える切替手段を備え、伝達手段が伝達位置にある時には変形し、伝達手段が非伝達位置にある時には変形しないことを特徴とする請求項１乃至１５のいずれか１項に記載の形態変化玩具。
【発明の詳細な説明】
【技術分野】
【０００１】
本発明は、走行中に形態が変化する形態変化玩具に関する。
【背景技術】
【０００２】
従来、手動で自動車玩具形態からロボット玩具形態に変化する走行玩具が存在した（例えば、特許文献１）。この走行玩具は、自動車玩具形態の時は速く走行し、ロボット玩具形態の時は遅く走行する。また、走行中に自動車玩具形態からロボット玩具形態に変化する形態変化玩具が存在した（例えば、特許文献２）。
【先行技術文献】
【特許文献】
【０００３】
【特許文献１】特公平４−２５８３４号公報
【特許文献２】特開平８−２０６３６５号公報
【発明の概要】
【発明が解決しようとする課題】
【０００４】
しかし、従来の形態変化玩具において、内部に動力源を内蔵し、当該動力源により走行し、この走行中に動力源により回転する駆動カムを利用して形態を変化させるものは存在しなかった。
【０００５】
本願発明は、上記問題点に鑑み案出したものであって、従来にない、新規な構成を有し、興趣有る変形を行うことができる形態変化玩具を提供することを目的とする。
【課題を解決するための手段】
【０００６】
本願請求項１に係る形態変化玩具は、上記目的を達成するため、玩具本体を有し、玩具本体は、駆動部と、駆動部によって駆動される駆動カムと、少なくとも第１の変形部と第２の変形部が設けられ、第１の変形部は、第１の位置から第２の位置に変形可能であり、弾性部材により第２の位置の方向に付勢され、弾性部材の弾性に抗して第１の位置で第１の係止部材に係止され、第２の変形部は、第３の位置から第４の位置に変形可能であり、弾性部材により第４の位置の方向に付勢され、弾性部材の弾性に抗して第３の位置で第２の係止部材に係止され、前記駆動カムは、回転すると第１の係止部材の係止を解除して第１の変形部を第２の位置に変形させ、次に第２の係止部材の係止を解除して第２の変形部を第４の位置に変形させて形態を変化させるように構成されていることを特徴とする。
【０００７】
本願請求項２に係る形態変化玩具は、上記目的を達成するため、玩具本体を有し、玩具本体は、駆動部と、駆動部によって駆動される駆動輪と駆動カムを備え、さらに、第１の変形部と第２の変形部が設けられ、第１の変形部は、第１の位置から第２の位置に変形可能であり、弾性部材により第２の位置の方向に付勢され、弾性部材の弾性に抗して第１の位置で第１の係止部材に係止され、第２の変形部は、第３の位置から第４の位置に変形可能であり、弾性部材により第４の位置の方向に付勢され、弾性部材の弾性に抗して第３の位置で第２の係止部材に係止され、前記駆動カムは、回転すると第１の係止部材の係止を解除して第１の変形部を第２の位置に変形させ、次に第２の係止部材の係止を解除して第２の変形部を第４の位置に変形させて形態を変化させるように構成されていることを特徴とする。
【０００８】
本願請求項３に係る形態変化玩具は、上記目的を達成するため、第１の変形部は、一対の車輪を有し、玩具本体は、駆動輪と一対の車輪が接地している時は自動車形態となり、走行中に駆動カムが回転して第１の変形部が変形して起立し、一対の車輪が接地した状態で駆動輪が接地面から離れ、さらに第２の変形部が変形してロボット形態となることを特徴とする。
【０００９】
本願請求項４に係る形態変化玩具は、上記目的を達成するため、玩具本体は、第３の変形部が設けられ、第３の変形部は、第５の位置から第６の位置に変形可能であり、弾性部材により第６の位置の方向に付勢され、弾性部材の弾性に抗して第５の位置で第１の位置にある第１の変形部に係止され、第１の変形部の変形により係止が解除され、第６の位置に変形して形態を変化させるように構成されていることを特徴とする。
【００１０】
本願請求項５に係る形態変化玩具は、上記目的を達成するため、第１の変形部は、一対の車輪を有し、玩具本体は、駆動輪と一対の車輪が接地している時は自動車形態となり、走行中に駆動カムが回転して第１の変形部が変形して起立し、一対の車輪が接地した状態で駆動輪が接地面から離れ、さらに第１の変形部の変形により第３の変形部が変形し、次に第２の変形部が変形してロボット形態となることを特徴とする。
【００１１】
本願請求項６に係る形態変化玩具は、上記目的を達成するため、玩具本体を有し、玩具本体は、駆動部と、駆動部によって駆動される駆動カムと、第１の変形部と、第３の変形部が設けられ、第１の変形部は、第１の位置から第２の位置に変形可能であり、弾性部材により第２の位置の方向に付勢され、弾性部材の弾性に抗して第１の位置で第１の係止部材に係止され、第３の変形部は、第５の位置から第６の位置に変形可能であり、弾性部材により第６の位置の方向に付勢され、弾性部材の弾性に抗して第５の位置で第１の位置にある第１の変形部に係止され、前記駆動カムは、回転すると第１の係止部材の係止を解除して第１の変形部を第２の位置に変形させ、第１の変形部の変形により第３の変形部の係止が解除され、第３の変形部を第６の位置に変形させて形態を変化させるように構成されていることを特徴とする。
【００１２】
本願請求項７に係る形態変化玩具は、上記目的を達成するため、玩具本体を有し、玩具本体は、駆動部と、駆動部によって駆動される駆動輪と駆動カムを備え、さらに、第１の変形部と第３の変形部が設けられ、第１の変形部は、第１の位置から第２の位置に変形可能であり、弾性部材により第２の位置の方向に付勢され、弾性部材の弾性に抗して第１の位置で第１の係止部材に係止され、第３の変形部は、第５の位置から第６の位置に変形可能であり、弾性部材により第６の位置の方向に付勢され、弾性部材の弾性に抗して第５の位置で第１の位置にある第１の変形部に係止され、前記駆動カムは、回転すると第１の係止部材の係止を解除して第１の変形部を第２の位置に変形させ、第１の変形部の変形により第３の変形部の係止が解除され、第３の変形部を第６の位置に変形させて形態を変化させるように構成されていることを特徴とする。
【００１３】
本願請求項８に係る形態変化玩具は、上記目的を達成するため、第１の変形部は、一対の車輪を有し、玩具本体は、駆動輪と一対の車輪が接地している時は自動車形態となり、走行中に駆動カムが回転して第１の変形部が変形して起立し、一対の車輪が接地した状態で駆動輪が接地面から離れ、さらに第１の変形部の変形により第３の変形部が変形してロボット形態となることを特徴とする。
【００１４】
本願請求項９に係る形態変化玩具は、上記目的を達成するため、玩具本体は、駆動部によって回転する歯車群が設けられ、第１の変形部には、前記一対の車輪と連動すると共に、第１の位置にある時には、歯車群から離れ、第２の位置にある時には、歯車群の一つの歯車と噛み合う従動歯車が設けられていることを特徴とする。
【００１５】
本願請求項１０に係る形態変化玩具は、上記目的を達成するため、玩具本体を有し、玩具本体は、駆動部と、駆動部によって回転する歯車群と、駆動部によって駆動される駆動輪と駆動カムを備え、さらに、第１の変形部が設けられ、第１の変形部は、第１の位置から第２の位置に変形可能であり、弾性部材により第２の位置の方向に付勢され、弾性部材の弾性に抗して第１の位置で第１の係止部材に係止され、前記駆動カムは、回転すると第１の係止部材の係止を解除して第１の変形部を第２の位置に変形させて形態を変化させるように構成され、第１の変形部は、一対の車輪と一対の車輪と連動する従動歯車を有し、玩具本体は、駆動輪と一対の車輪が接地している時は第１の変形部が第１の位置にあって、自動車形態となり従動歯車が歯車群から離れて駆動輪で走行し、走行中に駆動カムが回転して第１の変形部が第２の位置に移動して起立したロボット形態となり、一対の車輪が接地した状態で駆動輪が接地面から離れて、歯車群の一つの歯車が従動歯車と噛み合って一対の車輪で歩行することを特徴とする。
【００１６】
本願請求項１１に係る形態変化玩具は、上記目的を達成するため、ロボット形態の玩具本体と、玩具本体を覆う自動車形態のカバー体を有し、玩具本体は、駆動部と、駆動部によって駆動される駆動輪と駆動カムを備え、さらに、足部形状の第１の変形部が設けられ、足部形状の第１の変形部は、一対の車輪を有し、折り畳んだ第１の位置から突出した第２の位置に変形可能であり、弾性部材により突出した第２の位置の方向に付勢され、弾性部材の弾性に抗して折り畳んだ第１の位置で第１の係止部材に係止され、前記カバー体には、頭部形状の第２の変形部が設けられ、頭部形状の第２の変形部は、カバー体に収納された第３の位置からカバー体から突出した第４の位置に変形可能であり、弾性部材により突出した第４の位置の方向に付勢され、弾性部材の弾性に抗してカバー体に収納された第３の位置で第２の係止部材に係止され、前記駆動カムは、回転すると第１の係止部材の係止を解除して足部形状の第１の変形部を突出した第２の位置に変形させ、次に第２の係止部材の係止を解除して頭部形状の第２の変形部を突出した第４の位置に変形させるように構成され、駆動輪と一対の車輪が接地している時は自動車形態となり、走行中に駆動カムが回転して足部形状の第１の変形部が突出して玩具本体を起立させ、一対の車輪が接地した状態で駆動輪が接地面から離れ、頭部形状の第２の変形部が突出してロボット形態となることを特徴とする。
【００１７】
本願請求項１２に係る形態変化玩具は、上記目的を達成するため、前記カバー体は、背部形状の第３の変形部が設けられ、背部形状の第３の変形部は、カバー体に収納された第５の位置からカバー体から突出した第６の位置に変形可能であり、弾性部材により第６の位置の方向に付勢され、弾性部材の弾性に抗してカバー体に収納された第５の位置で第１の位置にある足部形状の第１の変形部に係止され、足部形状の第１の変形部の変形により係止が解除され、カバー体から突出した第６の位置に変形するように構成され、駆動輪と一対の車輪が接地している時は自動車形態となり、走行中に駆動カムが回転して足部形状の第１の変形部が突出して玩具本体を起立させ、一対の車輪が接地した状態で駆動輪が接地面から離れ、足部形状の第１の変形部の変形により背部形状の第３の変形部がカバー体に収納された状態から突出し、頭部形状の第２の変形部が突出してロボット形態となることを特徴とする。
【００１８】
本願請求項１３に係る形態変化玩具は、上記目的を達成するため、ロボット形態の玩具本体と、玩具本体を覆う自動車形態のカバー体を有し、玩具本体は、駆動部と、駆動部によって駆動される駆動輪と駆動カムを備え、さらに、足部形状の第１の変形部が設けられ、足部形状の第１の変形部は、一対の車輪を有し、折り畳んだ第１の位置から突出した第２の位置に変形可能であり、弾性部材により突出した第２の位置の方向に付勢され、弾性部材の弾性に抗して折り畳んだ第１の位置で第１の係止部材に係止され、前記カバー体は、背部形状の第３の変形部が設けられ、背部形状の第３の変形部は、カバー体に収納された第５の位置からカバー体から突出した第６の位置に変形可能であり、弾性部材により第６の位置の方向に付勢され、弾性部材の弾性に抗してカバー体に収納された第５の位置で第１の位置にある足部形状の第１の変形部に係止され、前記駆動カムは、回転すると第１の係止部材の係止を解除して足部形状の第１の変形部を突出した第２の位置に変形させ、次に足部形状の第１の変形部の変形により背部形状の第３の変形部の係止が解除され、背部形状の第３の変形部をカバー体から突出した第６の位置に変形させるように構成され、駆動輪と一対の車輪が接地している時は自動車形態となり、走行中に駆動カムが回転して足部形状の第１の変形部が突出して玩具本体を起立させ、一対の車輪が接地した状態で駆動輪が接地面から離れ、足部形状の第１の変形部の変形により背部形状の第３の変形部がカバー体に収納された状態から突出してロボット形態となることを特徴とする。
【００１９】
本願請求項１４に係る形態変化玩具は、上記目的を達成するため、玩具本体は、駆動部によって回転する歯車群が設けられ、足部形状の第１の変形部には、前記一対の車輪と連動すると共に、自動車形態の時には、歯車群から離れ、ロボット形態の時には、歯車群の一つの歯車と噛み合う従動歯車が設けられ、ロボット形態時に一対の車輪が駆動部によって強制的に回転させられて起立走行することを特徴とする。
【００２０】
本願請求項１５に係る形態変化玩具は、上記目的を達成するため、ロボット形態の玩具本体を有し、玩具本体は、駆動部と、駆動部によって回転する歯車群と、駆動部によって駆動される駆動輪と駆動カムを備え、さらに、足部形状の第１の変形部が設けられ、足部形状の第１の変形部は、一対の車輪と一対の車輪と連動する従動歯車を有し、突出した第２の位置に変形可能であり、弾性部材により突出した第２の位置の方向に付勢され、弾性部材の弾性に抗して折り畳んだ第１の位置で第１の係止部材に係止され、前記駆動カムは、回転すると第１の係止部材の係止を解除して足部形状の第１の変形部を突出した第２の位置に変形させるように構成され、玩具本体は、駆動輪と一対の車輪が接地している時は足部形状の第１の変形部が第１の位置にあって、自動車形態となり従動歯車が歯車群から離れ駆動輪で走行し、走行中に駆動カムが回転して足部形状の第１の変形部が第２の位置に突出して起立したロボット形態となり、一対の車輪が接地した状態で駆動輪が接地面から離れて、歯車群の一つの歯車が従動歯車と噛み合って一対の車輪で起立走行することを特徴とする。
【００２１】
本願請求項１６に係る形態変化玩具は、上記目的を達成するため、玩具本体には、駆動部の動力を駆動カムに伝達する伝達手段と、伝達手段を伝達位置と非伝達位置に切り替える切替手段を備え、伝達手段が伝達位置にある時には変形し、伝達手段が非伝達位置にある時には変形しないことを特徴とする。
【発明の効果】
【００２２】
本願発明に係る形態変化玩具は、玩具本体を有する。玩具本体は、駆動部と、駆動部によって駆動される駆動輪と駆動カムを備えている。さらに、玩具本体は、第１の変形部と第２の変形部が設けられている。第１の変形部は、第１の位置から第２の位置に変形可能であり、弾性部材により第２の位置の方向に付勢され、弾性部材の弾性に抗して第１の位置で第１の係止部材に係止されている。第２の変形部は、第３の位置から第４の位置に変形可能であり、弾性部材により第４の位置の方向に付勢され、弾性部材の弾性に抗して第３の位置で第２の係止部材に係止されている。前記駆動カムは、回転すると第１の係止部材の係止を解除して第１の変形部を第２の位置に変形させ、次に第２の係止部材の係止を解除して第２の変形部を第４の位置に変形させて形態を変化させるように構成されている。
【００２３】
本願発明に係る形態変化玩具は、駆動カムの回転によって、第１の変形部と第２の変形部の係止を順に解除して、形態を変化させることができ、従来のように、複雑な機構を必要とせず、しかも、走行中に形態を変化させることができ、従来にない新規な興趣ある構成にすることができるという効果がある。
【００２４】
本願発明に係る形態変化玩具は、第１の変形部が、一対の車輪を有する。玩具本体は、駆動輪と一対の車輪が接地している時は自動車形態となり、走行中に駆動カムが回転して第１の変形部が変形して起立し、一対の車輪が接地した状態で駆動輪が接地面から離れ、さらに第２の変形部が変形してロボット形態となる。
【００２５】
本願発明に係る形態変化玩具は、駆動カムの回転によって、第１の変形部と第２の変形部の係止を順に解除して、第１の変形部を起立させ、第２の変形部を変形させて、自動車形態からロボット形態に変化させることができ、従来のように、複雑な機構を必要とせず、しかも、走行中に形態を変化させることができ、従来にない新規な興趣ある構成にすることができるという効果がある。
【００２６】
本願発明に係る形態変化玩具は、玩具本体に第３の変形部が設けられている。第３の変形部は、第５の位置から第６の位置に変形可能であり、弾性部材により第６の位置の方向に付勢され、弾性部材の弾性に抗して第５の位置で第１の位置にある第１の変形部に係止され、第１の変形部の変形により係止が解除され、第６の位置に変形して形態を変化させるように構成されている。
【００２７】
本願発明に係る形態変化玩具は、駆動カムの回転によって、第１の変形部と第２の変形部の係止を順に解除して、形態を変化させることができ、さらに、第１の変形部の変形により第３の変形部の係止が解除されて第３の変形部も変形するので、従来のように、複雑な機構を必要とせず、しかも、走行中に形態を変化させることができ、従来にない新規な興趣ある構成にすることができるという効果がある。
【００２８】
本願発明に係る形態変化玩具は、第１の変形部が一対の車輪を有する。玩具本体は、駆動輪と一対の車輪が接地している時は自動車形態となり、走行中に駆動カムが回転して第１の変形部が変形して起立し、一対の車輪が接地した状態で駆動輪が接地面から離れ、さらに第１の変形部の変形により第３の変形部が変形し、次に第２の変形部が変形してロボット形態となる。
【００２９】
本願発明に係る形態変化玩具は、駆動カムの回転によって、第１の変形部と第２の変形部の係止を順に解除して、第１の変形部を起立させ、第２の変形部を変形させて、さらに、第１の変形部の変形により第３の変形部の係止が解除されて第３の変形部も変形するので、自動車形態からロボット形態に変化させることができ、従来のように、複雑な機構を必要とせず、しかも、走行中に形態を変化させることができ、従来にない新規な興趣ある構成にすることができるという効果がある。
【００３０】
本願発明に係る形態変化玩具は、玩具本体を有する。玩具本体は、駆動部と、駆動部によって駆動される駆動輪と駆動カムを備えている。さらに、玩具本体は、第１の変形部と第３の変形部が設けられている。第１の変形部は、第１の位置から第２の位置に変形可能であり、弾性部材により第２の位置の方向に付勢され、弾性部材の弾性に抗して第１の位置で第１の係止部材に係止されている。第３の変形部は、第５の位置から第６の位置に変形可能であり、弾性部材により第６の位置の方向に付勢され、弾性部材の弾性に抗して第５の位置で第１の位置にある第１の変形部に係止されている。前記駆動カムは、回転すると第１の係止部材の係止を解除して第１の変形部を第２の位置に変形させ、第１の変形部の変形により第３の変形部の係止が解除され、第３の変形部を第６の位置に変形させて形態を変化させるように構成されている。
【００３１】
本願発明に係る形態変化玩具は、駆動カムの回転によって、第１の変形部の係止を解除して、形態を変化させることができ、さらに、第１の変形部の変形により第３の変形部の係止が解除されて第３の変形部も変形するので、従来のように、複雑な機構を必要とせず、しかも、走行中に形態を変化させることができ、従来にない新規な興趣ある構成にすることができるという効果がある。
【００３２】
本願発明に係る形態変化玩具は、第１の変形部が一対の車輪を有する。玩具本体は、駆動輪と一対の車輪が接地している時は自動車形態となり、走行中に駆動カムが回転して第１の変形部が変形して起立し、一対の車輪が接地した状態で駆動輪が接地面から離れ、さらに第１の変形部の変形により第３の変形部が変形してロボット形態となる。
【００３３】
本願発明に係る形態変化玩具は、駆動カムの回転によって、第１の変形部の係止を解除して、第１の変形部を起立させ、第１の変形部の変形により第３の変形部の係止が解除されて第３の変形部も変形するので、自動車形態からロボット形態に変化させることができ、従来のように、複雑な機構を必要とせず、しかも、走行中に形態を変化させることができ、従来にない新規な興趣ある構成にすることができるという効果がある。
【００３４】
本願発明に係る形態変化玩具は、玩具本体に駆動部によって回転する歯車群が設けられている。また、第１の変形部には、前記一対の車輪と連動すると共に、第１の位置にある時には、歯車群から離れ、第２の位置にある時には、歯車群の一つの歯車と噛み合う従動歯車が設けられている。
【００３５】
本願発明に係る形態変化玩具は、第１の変形部の形態が変化して第１の位置から第２の位置に移動すると、第１の変形部に設けられた従動歯車が駆動部によって回転する歯車群の一つの歯車と噛み合うので、駆動部の動力が従動歯車に伝達され、一対の車輪が強制的に回転する。このように本願発明に係る形態変化玩具は、形態の変化に伴って、駆動部も変化するので、興趣ある玩具にすることができるという効果がある。
【００３６】
本願発明に係る形態変化玩具は、玩具本体に、駆動部の動力を駆動カムに伝達する伝達手段と、伝達手段を伝達位置と非伝達位置に切り替える切替手段を備え、伝達手段が伝達位置にある時には変形し、伝達手段が非伝達位置にある時には変形しない。
【００３７】
本願発明に係る形態変化玩具は、切替手段により伝達手段を伝達位置にすると、駆動部の動力が駆動カムに伝達するので、変形玩具として遊ぶことができ、切替手段により伝達手段を非伝達位置に切り替えると、駆動部の動力が駆動カムに伝達しないので、単なる走行玩具として遊ぶことができ、複数の異なる玩具遊びをすることができるという効果がある。
【図面の簡単な説明】
【００３８】
【図１】本願発明に係る形態変化玩具の自動車形態時の説明図である。
【図２】図１の自動車形態時のカバー体の説明図である。
【図３】図１の自動車形態時の玩具本体の説明図である。
【図４】本願発明に係る形態変化玩具のロボット形態時の正面から視た説明図である。
【図５】図４のロボット形態時の側面から視た説明図である。
【図６】本願発明に係る形態変化玩具の他の実施の形態を説明する説明図である。
【図７】本願発明に係る形態変化玩具の他の実施の形態を説明する説明図である。
【図８】図１の自動車形態時の一方から視た外観斜視図である。
【図９】図１の自動車形態時の他方から視た外観斜視図である。
【図１０】図１の自動車形態時の正面から視た正面図である。
【図１１】図４のロボット形態時の後方から視た外観斜視図である。
【図１２】図４のロボット形態時の側面から視た側面図である。
【図１３】図４のロボット形態時の正面から視た正面図である。
【図１４】図４のロボット形態時の前方から視た外観斜視図である。
【図１５】図４のロボット形態時の背面から視た背面図である。
【図１６】図４のロボット形態時の一部を外して正面から視た正面図である。
【図１７】図４のロボット形態時の一部を外して背面から視た背面図である。
【図１８】図４のロボット形態時の一部を外して背面から視た背面斜視図である。
【図１９】図４のロボット形態時の要部拡大図である。
【図２０】図４のロボット形態時の一部を外して背面右側から視た斜視図である。
【図２１】図４のロボット形態時の一部を外して背面右側から視た斜視図である。
【図２２】図４のロボット形態時の右方から視た要部斜視図である。
【図２３】図４のロボット形態時の一部を外して右後方から視た斜視図である。
【図２４】図４の自動車形態時の要部説明図である。
【図２５】図４のロボット形態時の背面右方から視た斜視図である。
【図２６】図４のロボット形態時の正面右側から視た斜視図である。
【図２７】図４のロボット形態時の背面左方から視た斜視図である。
【図２８】図４のロボット形態時の背面左方から視た斜視図である。
【図２９】図４のロボット形態時の左方から視た要部斜視図である。
【図３０】図４のロボット形態時の左方から視た側面図である。
【図３１】図２のカバー体の説明斜視図である。
【図３２】図２のカバー体の説明斜視図である。
【図３３】図２のカバー体の説明斜視図である。
【発明を実施するための形態】
【００３９】
形態変化玩具の概要について、図１乃至５に基づいて説明する。形態変化玩具１は、玩具本体１０を有する。玩具本体１０は、駆動部２０と、駆動部２０によって駆動される駆動輪２６，２６と駆動カム５１を備えている。さらに、玩具本体１０は、第１の変形部９０と第２の変形部１１８，１２１，１２５が設けられている。第１の変形部９０は、第１の位置（係止位置）から第２の位置（非係止位置）に変形可能であり、弾性部材９９により第２の位置（非係止位置）の方向に付勢され、弾性部材９９の弾性に抗して第１の位置（係止位置）で第１の係止部材（第１の係止解除片）６０に係止されている。第２の変形部１１８，１２１，１２５は、第３の位置（係止位置）から第４の位置（非係止位置）に変形可能であり、弾性部材１１７，１２３，１２７により第４の位置（非係止位置）の方向に付勢され、弾性部材１１７，１２３，１２７の弾性に抗して第３の位置（係止位置）で第２の係止部材（第２の係止解除片）７０に係止されている。前記駆動カム５１は、回転すると第１の係止部材（第１の係止解除片）６０の係止を解除して第１の変形部９０を第２の位置に変形させ、次に第２の係止部材（第２の係止解除片）７０の係止を解除して第２の変形部１１８，１２１，１２５を第４の位置に変形させて形態を変化させるように構成されている。
【００４０】
形態変化玩具１は、駆動カム５１の回転によって、第１の変形部９０と第２の変形部１１８，１２１，１２５の係止を順に解除して、形態を変化させることができ、従来のように、複雑な機構を必要とせず、しかも、走行中に形態を変化させることができ、従来にない興趣ある構成にすることができる。
【００４１】
形態変化玩具１は、第１の変形部９０が、一対の車輪１０１，１０２を有する。玩具本体１０は、駆動輪２６，２６と一対の車輪１０１，１０２が接地している時は自動車形態となり、走行中に駆動カム５１が回転して第１の変形部９０が変形して起立し、一対の車輪１０１，１０２が接地した状態で駆動輪２６，２６が接地面から離れ、さらに第２の変形部１１８，１２１，１２５が変形してロボット形態となる。
【００４２】
形態変化玩具１は、駆動カム５１の回転によって、第１の変形部９０と第２の変形部１１８，１２１，１２５の係止を順に解除して、第１の変形部９０を起立させ、第２の変形部１１８，１２１，１２５を変形させて、自動車形態からロボット形態に変化させることができ、従来のように、複雑な機構を必要とせず、しかも、走行中に形態を変化させることができ、従来にない興趣ある構成にすることができる。
【００４３】
形態変化玩具１は、玩具本体１０に第３の変形部１３２が設けられている。第３の変形部１３２は、第５の位置（係止位置）から第６の位置（非係止位置）に変形可能であり、弾性部材１４１により第６の位置（非係止位置）の方向に付勢され、弾性部材１４１の弾性に抗して第５の位置（係止位置）で第１の位置（係止位置）にある第１の変形部９０に係止され、第１の変形部９０の変形により係止が解除され、第６の位置（非係止位置）に変形して形態を変化させるように構成されている。
【００４４】
形態変化玩具１は、駆動カム５１の回転によって、第１の変形部９０と第２の変形部１１８，１２１，１２５の係止を順に解除して、形態を変化させることができ、さらに、第１の変形部９０の変形により第３の変形部１３２の係止が解除されて第３の変形部１３２も変形するので、従来のように、複雑な機構を必要とせず、しかも、走行中に形態を変化させることができ、従来にない興趣ある構成にすることができる。
【００４５】
形態変化玩具１は、第１の変形部９０が一対の車輪１０１，１０２を有する。玩具本体１０は、駆動輪２６，２６と一対の車輪１０１，１０２が接地している時は自動車形態となり、走行中に駆動カム５１が回転して第１の変形部９０が変形して起立し、一対の車輪１０１，１０２が接地した状態で駆動輪２６，２６が接地面から離れ、さらに第１の変形部９０の変形により第３の変形部１３２が変形し、次に第２の変形部１１８，１２１，１２５が変形してロボット形態となる。
【００４６】
形態変化玩具１は、駆動カム５１の回転によって、第１の変形部９０と第２の変形部１１８，１２１，１２５の係止を順に解除して、第１の変形部９０を起立させ、第２の変形部１１８，１２１，１２５を変形させて、さらに、第１の変形部９０の変形により第３の変形部１３２の係止が解除されて第３の変形部１３２も変形するので、自動車形態からロボット形態に変化させることができ、従来のように、複雑な機構を必要とせず、しかも、走行中に形態を変化させることができ、従来にない興趣ある構成にすることができる。
【００４７】
形態変化玩具１は、玩具本体１０を有する。玩具本体１０は、駆動部２０と、駆動部２０によって駆動される駆動輪２６，２６と駆動カム５１を備えている。さらに、玩具本体１０は、第１の変形部９０と第３の変形部１３２が設けられている。第１の変形部９０は、第１の位置（係止位置）から第２の位置（非係止位置）に変形可能であり、弾性部材９９により第２の位置（非係止位置）の方向に付勢され、弾性部材９９の弾性に抗して第１の位置（係止位置）で第１の係止部材（第１の係止解除片）６０に係止されている。第３の変形部１３２は、第５の位置（係止位置）から第６の位置（非係止位置）に変形可能であり、弾性部材１４１により第６の位置（非係止位置）の方向に付勢され、弾性部材１４１の弾性に抗して第５の位置（係止位置）で第１の位置（係止位置）にある第１の変形部９０に係止されている。前記駆動カム５１は、回転すると第１の係止部材（第１の係止解除片）６０の係止を解除して第１の変形部９０を第２の位置に変形させ、第１の変形部９０の変形により第３の変形部１３２の係止が解除され、第３の変形部１３２を第６の位置に変形させて形態を変化させるように構成されている。
【００４８】
形態変化玩具１は、駆動カム５１の回転によって、第１の変形部９０の係止を解除して、形態を変化させることができ、さらに、第１の変形部９０の変形により第３の変形部１３２の係止が解除されて第３の変形部１３２も変形するので、従来のように、複雑な機構を必要とせず、しかも、走行中に形態を変化させることができ、従来にない興趣ある構成にすることができる。
【００４９】
形態変化玩具１は、第１の変形部９０が一対の車輪１０１，１０２を有する。玩具本体１０は、駆動輪２６，２６と一対の車輪１０１，１０２が接地している時は自動車形態となり、走行中に駆動カム５１が回転して第１の変形部９０が変形して起立し、一対の車輪１０１，１０２が接地した状態で駆動輪２６，２６が接地面から離れ、さらに第１の変形部９０の変形により第３の変形部１３２が変形してロボット形態となる。
【００５０】
形態変化玩具１は、駆動カム５１の回転によって、第１の変形部９０の係止を解除して、第１の変形部９０を起立させ、第１の変形部９０の変形により第３の変形部１３２の係止が解除されて第３の変形部１３２も変形するので、自動車形態からロボット形態に変化させることができ、従来のように、複雑な機構を必要とせず、しかも、走行中に形態を変化させることができ、従来にない興趣ある構成にすることができる。
【００５１】
形態変化玩具１は、玩具本体１０に駆動部２０によって回転する歯車群４１が設けられている。また、第１の変形部９０には、前記一対の車輪１０１，１０２と連動すると共に、第１の位置（係止位置）にある時には、歯車群４１から離れ、第２の位置（非係止位置）にある時には、歯車群４１の一つの歯車４７と噛み合う従動歯車１０３が設けられている。
【００５２】
形態変化玩具１は、第１の変形部９０の形態が変化して第１の位置から第２の位置に移動すると、第１の変形部９０に設けられた従動歯車１０３が駆動部２０によって回転する歯車群４１の一つの歯車４７と噛み合うので、駆動部２０の動力が従動歯車１０３に伝達され、一対の車輪１０１，１０２が強制的に回転する。このように形態変化玩具１は、形態の変化に伴って、駆動部も変化するので、興趣ある玩具にすることができる。
【００５３】
形態変化玩具１は、玩具本体１０を有する。玩具本体１０は、駆動部２０と、駆動部２０によって回転する歯車群４１と、駆動部２０によって駆動される駆動輪２６，２６と駆動カム５１を備え、さらに、第１の変形部９０が設けられている。第１の変形部９０は、第１の位置（係止位置）から第２の位置（非係止位置）に変形可能であり、弾性部材９９により第２の位置（非係止位置）の方向に付勢され、弾性部材９９の弾性に抗して第１の位置（係止位置）で第１の係止部材（第１の係止解除片）６０に係止されている。前記駆動カム５１は、回転すると第１の係止部材（第１の係止解除片）６０の係止を解除して第１の変形部９０を第２の位置（非係止位置）に変形させて形態を変化させるように構成されている。第１の変形部９０は、一対の車輪１０１，１０２と一対の車輪１０１，１０２と連動する従動歯車１０３を有する。玩具本体１０は、駆動輪２６，２６と一対の車輪１０１，１０２が接地している時は第１の変形部９０が第１の位置（係止位置）にあって、自動車形態となり従動歯車１０３が歯車群４１から離れて駆動輪２６，２６で走行する。玩具本体１０は、走行中に駆動カム５１が回転して第１の変形部９０が第２の位置（非係止位置）に移動して起立したロボット形態となり、一対の車輪１０１，１０２が接地した状態で駆動輪２６，２６が接地面から離れて、歯車群４１の一つの歯車４７が従動歯車１０３と噛み合って一対の車輪１０１，１０２で起立走行する。
【００５４】
形態変化玩具１は、ロボット形態の玩具本体１０と、玩具本体１０を覆う自動車形態のカバー体１１０を有する。玩具本体１０は、駆動部２０と、駆動部２０によって駆動される駆動輪２６，２６と駆動カム５１を備え、さらに、足部形状の第１の変形部９０が設けられている。足部形状の第１の変形部９０は、一対の車輪１０１，１０２を有し、折り畳んだ第１の位置（係止位置）から突出した第２の位置（非係止位置）に変形可能であり、弾性部材９９により突出した第２の位置（非係止位置）の方向に付勢され、弾性部材９９の弾性に抗して折り畳んだ第１の位置（係止位置）で第１の係止部材（第１の係止解除片）６０に係止されている。前記カバー体１１０は、頭部形状の第２の変形部１１８が設けられている。頭部形状の第２の変形部１１８は、カバー体１１０に収納された第３の位置からカバー体１１０から突出した第４の位置に変形可能であり、弾性部材１１７により突出した第４の位置の方向に付勢され、弾性部材１１７の弾性に抗してカバー体１１０に収納された第３の位置で第２の係止部材（第２の係止解除片）７０に係止されている。前記駆動カム５１は、回転すると第１の係止部材（第１の係止解除片）６０の係止を解除して足部形状の第１の変形部９０を突出した第２の位置（非係止位置）に変形させ、次に第２の係止部材（第２の係止解除片）７０の係止を解除して頭部形状の第２の変形部１１８を突出した第４の位置に変形させるように構成されている。駆動輪２６，２６と一対の車輪１０１，１０２が接地している時は自動車形態となり、走行中に駆動カム５１が回転して足部形状の第１の変形部９０が突出して玩具本体１０を起立させ、一対の車輪１０１，１０２が接地した状態で駆動輪２６，２６が接地面から離れ、頭部形状の第２の変形部１１８が突出してロボット形態となる。
【００５５】
形態変化玩具１は、前記カバー体１１０に背部形状の第３の変形部１３２が設けられている。背部形状の第３の変形部１３２は、カバー体１１０に収納された第５の位置（係止位置）からカバー体１１０から突出した第６の位置（非係止位置）に変形可能であり、弾性部材１４１により第６の位置（非係止位置）の方向に付勢され、弾性部材１４１の弾性に抗してカバー体１１０に収納された第５の位置（係止位置）で第１の位置（係止位置）にある足部形状の第１の変形部９０に係止され、足部形状の第１の変形部９０の変形により係止が解除され、カバー体１１０から突出した第６の位置（非係止位置）に変形するように構成されている。形態変化玩具１は、駆動輪２６，２６と一対の車輪１０１，１０２が接地している時は自動車形態となり、走行中に駆動カム５１が回転して足部形状の第１の変形部９０が突出して玩具本体１０を起立させ、一対の車輪１０１，１０２が接地した状態で駆動輪２６，２６が接地面から離れ、足部形状の第１の変形部９０の変形により背部形状の第３の変形部１３２がカバー体１１０に収納された状態から突出し、頭部形状の第２の変形部１１８が突出してロボット形態となる。
【００５６】
形態変化玩具１は、ロボット形態の玩具本体１０と、玩具本体１０を覆う自動車形態のカバー体１１０を有する。玩具本体１０は、駆動部２０と、駆動部２０によって駆動される駆動輪２６，２６と駆動カム５１を備え、さらに、足部形状の第１の変形部９０が設けられている。足部形状の第１の変形部９０は、一対の車輪１０１，１０２を有し、折り畳んだ第１の位置（係止位置）から突出した第２の位置（非係止位置）に変形可能であり、弾性部材９９により突出した第２の位置（非係止位置）の方向に付勢され、弾性部材９９の弾性に抗して折り畳んだ第１の位置（係止位置）で第１の係止部材（第１の係止解除片）６０に係止されている。前記カバー体１１０は、背部形状の第３の変形部１３２が設けられている。背部形状の第３の変形部１３２は、カバー体１１０に収納された第５の位置（係止位置）からカバー体１１０から突出した第６の位置（非係止位置）に変形可能であり、弾性部材１４１により第６の位置（非係止位置）の方向に付勢され、弾性部材１４１の弾性に抗してカバー体１１０に収納された第５の位置（係止位置）で折り畳んだ第１の位置（係止位置）にある足部形状の第１の変形部９０に係止されている。前記駆動カム５１は、回転すると第１の係止部材（第１の係止解除片）６０の係止を解除して足部形状の第１の変形部９０を突出した第２の位置（非係止位置）に変形させ、次に足部形状の第１の変形部９０の変形により背部形状の第３の変形部１３２の係止が解除され、背部形状の第３の変形部１３２をカバー体１１０から突出した第６の位置（非係止位置）に変形させるように構成されている。駆動輪２６，２６と一対の車輪１０１，１０２が接地している時は自動車形態となり、走行中に駆動カム５１が回転して足部形状の第１の変形部９０が突出して玩具本体１０を起立させ、一対の車輪１０１，１０２が接地した状態で駆動輪２６，２６が接地面から離れ、足部形状の第１の変形部９０の変形により背部形状の第３の変形部１３２がカバー体１１０に収納された状態から突出してロボット形態となる。
【００５７】
形態変化玩具１は、玩具本体１０に駆動部２０によって回転する歯車群４１が設けられている。足部形状の第１の変形部９０には、前記一対の車輪１０１，１０２と連動すると共に、自動車形態の時には、歯車群４１から離れ、ロボット形態の時には、歯車群４１の一つの歯車４７と噛み合う従動歯車１０３が設けられている。形態変化玩具１は、ロボット形態時に一対の車輪１０１，１０２が駆動部２０によって強制的に回転させられて起立走行する。
【００５８】
形態変化玩具１は、ロボット形態の玩具本体１０を有する。玩具本体１０は、駆動部２０と、駆動部２０によって回転する歯車群４１と、駆動部２０によって駆動される駆動輪２６，２６と駆動カム５１を備え、さらに、足部形状の第１の変形部９０が設けられている。足部形状の第１の変形部９０は、一対の車輪１０１，１０２と一対の車輪１０１，１０２と連動する従動歯車１０３を有し、突出した第２の位置（非係止位置）に変形可能であり、弾性部材９９により突出した第２の位置（非係止位置）の方向に付勢され、弾性部材９９の弾性に抗して折り畳んだ第１の位置（係止位置）で第１の係止部材（第１の係止解除片）６０に係止されている。前記駆動カム５１は、回転すると第１の係止部材（第１の係止解除片）６０の係止を解除して足部形状の第１の変形部９０を突出した第２の位置（非係止位置）に変形させるように構成されている。玩具本体１０は、駆動輪２６，２６と一対の車輪１０１，１０２が接地している時は足部形状の第１の変形部９０が第１の位置（係止位置）にあって、自動車形態となり従動歯車１０３が歯車群４１から離れ駆動輪２６，２６で走行し、走行中に駆動カム５１が回転して足部形状の第１の変形部９０が第２の位置（非係止位置）に突出して起立したロボット形態となり、一対の車輪１０１，１０２が接地した状態で駆動輪２６，２６が接地面から離れて、歯車群４１の一つの歯車４７が従動歯車１０３と噛み合って一対の車輪１０１，１０２で起立走行する。
【００５９】
形態変化玩具１は、図６，７に示すように、玩具本体１０に、駆動部２０の動力を駆動カム５１に伝達する伝達手段４２，６９ａと、伝達手段４２，６９ａを伝達位置と非伝達位置に切り替える切替手段５５，６７を備え、伝達手段４２，６９ａが伝達位置にある時には変形し、伝達手段４２，６９ａが非伝達位置にある時には変形しないようにしても良い。
【００６０】
形態変化玩具１は、切替手段５５，６７により伝達手段４２，６９ａを伝達位置にすると、駆動部２０の動力が駆動カム５１に伝達するので、変形玩具として遊ぶことができ、切替手段５５，６７により伝達手段４２，６９ａを非伝達位置に切り替えると、駆動部２０の動力が駆動カム５１に伝達しないので、単なる走行玩具として遊ぶことができ、複数の異なる玩具遊びをすることができる。
【００６１】
さらに、形態変化玩具１について詳細に説明する。図１，１０に示すように、形態変化玩具１は、ロボット形態の玩具本体１０と、玩具本体１０を覆う自動車形態のカバー体１１０とからなる。玩具本体１０について説明する。図３，１７，１８に示すように、ロボット形態の玩具本体１０は、枠部材１１を有する。枠部材１１は、細長板状の一対のフレーム１２，１３と、一対のフレーム１２，１３の前部を連結する連結板１５とからなる。連結板１５の略中央には、ガイドピン１５ａが設けられている。図１６にも示すように、一対のフレーム１２，１３の間にゼンマイユニット（駆動部）２０が取り付けられている。ゼンマイユニット２０は、ケース２１内に図示しない歯車群とゼンマイが設けられ、このゼンマイの動力を歯車群を介して伝達される駆動軸２２と出力軸２３を有し、さらに自由回転する遊動軸２５を備えている。駆動軸２２の両端には駆動輪２６，２６が取り付けられている。遊動軸２５の両端には遊動輪２７，２７が取り付けられている。
【００６２】
図３，４，１６に示すように、出力軸２３は、一方のフレーム１２の外側に突出し、この突出部に回転体３１が固定され、出力歯車３３が回動可能に設けられている。回転体３１には、略Ｖ字状の係合凹部３２が形成されている。出力歯車３３には、回転体３１の係合凹部３２に係脱する略Ｖ字状の係合凸部３５が設けられている。出力歯車３３は、出力軸２３に取り付けられたバネ（弾性部材）３６により回転体３１に圧接している。
【００６３】
図３，１７に示すように、一方のフレーム１２には、後方に向かって略直線状に配置された歯車群４１が設けられている。歯車群４１は、前記出力歯車３３と噛み合う中間平歯車４２と、中間平歯車４２と一体の中間小歯車４３と、この中間小歯車４３と噛み合う大平歯車４５と、この大平歯車４５と噛み合う小平歯車４６と、この小平歯車４６と噛み合う最終歯車４７とからなる。前記大平歯車４５は、フレーム１２，１３に回動可能に取り付けられた伝達軸４８に固定されている。伝達軸４８は、他方のフレーム１３の外側に突出し、この突出部に駆動カム５１が固定されている。
【００６４】
図３，２４に示すように、駆動カム５１は、一方（Ｘ方向）の回転時に順番に係合する第１の係合爪５２と第２の係合爪５３を有し、さらに他方（Ｙ方向）の回転時に他方のフレーム１３に設けられた固定突起に係止される係止突起を有する。他方のフレーム１３の後方には、第１の係止解除片６０が回動可能に取り付けられている。第１の係止解除片６０は、合成樹脂によって一体成形され、円形の中心部６１と、中心部６１の後方に形成されたストッパー部６２と、中心部６１の前方に形成された弾性部６３と、中心部６１の下部から前方に伸びる係止部６４とからなり、中心部６１がネジによりフレーム１３に回動可能に取り付けられている。第１の係止解除片６０は、フレーム１３に切り欠きによって形成された弾性片６５に弾性部６３が係合して、一方（Ｘ方向）に付勢され、ストッパー部６２がフレーム１３に形成された突起６６に係止されている。
【００６５】
図３，２４に示すように、他方のフレーム１３の前方には、第２の係止解除片７０が回動可能に取り付けられている。第２の係止解除片７０は、合成樹脂によって一体成形され、円形の中心部７１と、中心部７１の前方に形成された係合部７２と、中心部７１の下部に形成されたストッパー７３と、中心部７１の上部から後方に伸びる係止部７４とからなり、中心部７１がネジによりフレーム１３に回動可能に取り付けられている。
【００６６】
図３，２１に示すように、第２の係止解除片７０の前方であって、フレーム１２，１３には、揺動軸８０が揺動可能に取り付けられている。揺動軸８０は、略中心には揺動突起８５が設けられ、フレーム１３から突出する突出部には係止片８７及び係合片８１が固定され、フレーム１２から突出する突出部には係止片８８が形成されている。図５にも示すように、揺動突起８５には、摺動係止板７７が設けられている。
【００６７】
図１，２５に示すように、摺動係止板７７は、前部に円孔７８が形成され、後部に長手方向に伸びる長孔７９が形成されている。摺動係止板７７は、円孔７８が揺動突起８５に取り付けられ、長孔７９が前記連結板１５のガイドピン１５ａに取り付けられ、揺動軸８０の揺動により長手方向に往復スライドする。係合片８１は、下部にフレーム１３に切り欠きによって形成された弾性片７５に係合する弾性軸８２が設けられ、後部に第２の係止解除片７０の係合部７２と係合する係合凸部８３が形成されている。第２の係止解除片７０は、前記係合片８１の係合凸部８３によって一方（Ｘ方向）に付勢され、ストッパー７３がフレーム１３に形成された突起７６に係止されている。
【００６８】
図３，２５，２６に示すように、枠部材１１の後部には足部材９０が回動可能に取り付けられている。足部材９０は、一対の足底板９１，９２と、足底板９１，９２を連結する連結板９５と、足底板９１，９２に略直角に設けられた垂直板９３，９４とからなる。垂直板９３，９４の後部には、それぞれ取付板９３ａ，９４ａが設けられている（図２７参照）。一方の垂直板９３の取付板９３ａは、一方のフレーム１２の後部に連結軸９７を介して回動可能に連結されている。他方の垂直板９４の取付板９４ａは、他方のフレーム１３の後部に連結軸９８を介して回動可能に連結されている。なお、連結軸９７と９８は、軸心が略一致するように配置されている。図１７に示すように、連結軸９８には、バネ部材９９が巻装され、当該バネ部材９９の弾性により、足底板９１，９２は、フレーム１２，１３に対して略直角となる方向に付勢されている。
【００６９】
図３，１７に示すように、前記足部材９０の垂直板９３，９４には、車軸１００が回動可能に設けられている。この車軸１００の両側には、車輪１０１，１０２が固定されている。図３，２６に示すように、車輪１０１，１０２は、足底板９１，９２の略コ字状の切欠部９１ａ，９２ａから突出している。一方の車輪１０１近傍の車軸１００には、従動平歯車１０３が固定されている。従動平歯車１０３は、足底板９１，９２が折り畳まれてフレーム１２，１３と略平行となっている時、前記一方のフレーム１２に設けられた歯車群４１の最終歯車４７から離れており、足底板９１，９２が展開してフレーム１２，１３と略直角となっている時、歯車群４１の最終歯車４７と噛み合うようになっている。
【００７０】
足部材９０の他方の垂直板９４には、前記バネ部材９９の弾性により、足底板９１，９２が付勢され、図３，１７に示すように、足底板９１，９２が折り畳まれてフレーム１２，１３と略平行となっている時、第１の係止解除片６０のストッパー部６２に係止される第１の係止突起９４ｂが形成されている。また、足部材９０の他方の垂直板９４には、前記バネ部材９９の弾性により、足底板９１，９２が付勢され、足底板９１，９２が展開してフレーム１２，１３と略直角となっている時、フレーム１３に形成された突起１６に係止される第２の係止突起９４ｃが形成されている。足部材９０の一方の垂直板９３には、上部に係止縁９３ｂが形成されている。フレーム１２，１３は、前端に軸受け片１２ａ，１３ａが形成され、前部側面に軸受け板１７，１８が設けられている。
【００７１】
次に自動車形態のカバー体１１０について説明する。図２，８，９に示すように、カバー体１１０は、フロントカバー１１１と、前部右側面カバー１２１と、前部左側面カバー１２５と、トップカバー１３０とからなる。フロントカバー１１１は、前記軸受け片１２ａ，１３ａの外側に支軸１１５によって取り付けられ、下カバー１１２と傾斜カバー１１３とからなる。傾斜カバー１１３の一部を構成する前面カバー１１６は、前記軸受け片１２ａ，１３ａの内側に支軸１１５によって回動可能に取り付けられ、支軸１１５に巻装されたバネ部材１１７によって開く方向に付勢されている。前面カバー１１６は、内面にロボット玩具の頭部１１８が固定され、バネ部材１１７の弾性に抗して閉じた状態（頭部１１８をカバー体１１０の内側に収納した状態）で、前記摺動係止板７７の一側に係止されている。
【００７２】
図２２に示すように、前部右側面カバー１２１は、フレーム１３の軸受け板１８に連結軸１２２を介して後部が回動可能に取り付けられ、連結軸１２２に巻装されたバネ部材１２３によって先部が開く方向に付勢されている。図２１に示すように、前部右側面カバー１２１は、バネ部材１２３の弾性に抗して先部を閉じた状態で前記揺動軸８０の係止片８７に係止部１２４が係止されている。前部右側面カバー１２１は、開くとロボット玩具の右上腕部を構成する。
【００７３】
図２９に示すように、前部左側面カバー１２５は、フレーム１２の軸受け板１７に連結軸１２６を介して後部が回動可能に取り付けられ、連結軸１２６に巻装されたバネ部材１２７によって先部が開く方向に付勢されている。図２８に示すように、前部左側面カバー１２５は、バネ部材１２７の弾性に抗して先部を閉じた状態で前記揺動軸８０の係止片８８に係止部１２８が係止されている。前部左側面カバー１２５は、開くとロボット玩具の左上腕部を構成する。
【００７４】
図２，８，９に示すように、トップカバー１３０は、上前部カバー１３１と、上前部カバー１３１の後部に前部が支軸１３６によってヒンジ連結された上後部カバー１３２と、上後部カバー１３２の後部に上部が支軸１３７によってヒンジ連結された後部カバー１３３と、上後部カバー１３２の右側に支軸１３８によってヒンジ連結された後部右側面カバー１３４と、上後部カバー１３２の左側に支軸１３９によってヒンジ連結された後部左側面カバー１３５とからなる。トップカバー１３０は、上前部カバー１３１が枠部材１１の連結板１５にネジ止めされて、枠部材１１に取り付けられている。
【００７５】
上後部カバー１３２は、支軸１３６に巻装されたバネ部材１４１によって、上前部カバー１３１に対して屈曲する方向に付勢され、バネ部材１４１の弾性に抗して上前部カバー１３１と平坦となる位置で、前記足部材９０の一方の垂直板９３に形成された係止縁９３ｂに係止されている。後部右側面カバー１３４は、支軸１３８に巻装されたバネ部材１４２によって開く方向に付勢され、バネ部材１４２の弾性に抗して閉じた位置で、閉じた前部右側面カバー１２１に係止されている。後部左側面カバー１３５は、支軸１３９に巻装されたバネ部材１４３によって開く方向に付勢され、バネ部材１４３の弾性に抗して閉じた位置で、閉じた前部左側面カバー１２５に係止されている。
【００７６】
形態変化玩具１は、図８に示す自動車玩具形態から図１４に示すロボット玩具形態に変化する。自動車玩具形態時には、図１に示すように、足部材９０が折り畳まれ、玩具本体１０が箱形形状のカバー体１１０内に収納されている。ロボット玩具形態時には、図４，５に示すように、足部材９０が突出し、カバー体１１０が展開し、頭部１１８が突出し右腕部（前部右側面カバー）１２１及び左腕部（前部左側面カバー）１２５が側方に開く。
【００７７】
さらに自動車玩具形態時について具体的に説明する。図１，３に示すように、足部材９０は、一対の足底板９１，９２がフレーム１２，１３と略平行となるようにバネ部材９９の弾性に抗して折り畳まれ、他方の足底板９２の垂直板９４に形成された第１の係止突起９４ｂが、第１の係止解除片７０のストッパー部６２に係止されている。足部材９０に設けられた車軸１００の従動平歯車１０３は、玩具本体１０の歯車群４１の最終歯車４７から離れている。車軸１００の両側に設けられた車輪１０１，１０２は、なんら拘束されることなく自由回転が可能で、接地する。
【００７８】
カバー体１１０の前部右側面カバー１２１は、バネ部材１２３の弾性に抗して閉じられ、揺動軸８０の係止片８８に係止されている。カバー体１１０の前部左側面カバー１２５は、バネ部材１２７の弾性に抗して閉じられ、揺動軸８０の係止片８７に係止されている。
【００７９】
カバー体１１０のフロントカバー１１１は、前面カバー１１６がバネ部材１１７の弾性に抗して閉じた状態で摺動係止板７７の一側に係止されている。前面カバー１１６の内面に固定されたロボット玩具の頭部１１８がカバー体１１０の内側に収納した状態となっている。
【００８０】
トップカバー１３０の上後部カバー１３２は、図１に示すように、バネ部材１４１の弾性に抗して上前部カバー１３１と平坦となる位置で、足部材９０の一方の垂直板９３に形成された係止縁９３ｂに係止されている。後部右側面カバー１３４は、バネ部材１４２の弾性に抗して閉じた位置で、閉じた前部右側面カバー１２１に係止されている。後部左側面カバー１３５は、バネ部材１４３の弾性に抗して閉じた位置で、閉じた前部左側面カバー１２５に係止されている。
【００８１】
形態変化玩具１は、自動車形態の時、一対の駆動輪２６，２６、一対の遊動輪２５，２５、一対の車輪１０１，１０２が接地する。この接地した状態で、形態変化玩具１を手で保持して後方に移動させると、駆動輪２６，２６の後方回転が、ゼンマイユニット２０内の歯車群を介してゼンマイに弾性を蓄える。この駆動輪２６，２６の後方回転は、出力軸２３にも伝わり、出力軸２３の回転が回転体３１、回転体３１の係合凹部３２、出力歯車３３の係合凸部３５、出力歯車３３、中間平歯車４２、中間小歯車４３、大平歯車４５、伝達軸４８を介して駆動カム５１に伝わり、駆動カム５１がＹ方向に回転する。駆動カム５１は、Ｙ方向に略１回転すると、係止突起が他方のフレーム１３に設けられた固定突起に係止され、その位置で停止する。その位置が初期位置となる。駆動カム５１が停止すると、伝達軸４８、大平歯車４５、中間小歯車４３、中間平歯車４２、出力歯車３３が回転不能となるが、回転体３１の係合凹部３２が出力歯車３３の係合凸部３５から外れるので、出力軸２３はさらにゼンマイの巻き方向に回転させることができる。
【００８２】
形態変化玩具１は、手を離すと、ゼンマイに蓄えられた動力により、駆動軸２２及び駆動輪２６，２６が回転して走行を行う。出力軸２３も回転し、出力軸２３の回転が回転体３１、回転体３１の係合凹部３２、出力歯車３３の係合凸部３５、出力歯車３３、中間平歯車４２、中間小歯車４３、大平歯車４５、伝達軸４８を介して駆動カム５１に伝わり、駆動カム５１がＸ方向に回転する。駆動カム５１の第１の係合爪５２が、弾性片６５の弾性に抗して、第１の係止解除片６０の係止部６４を係止して押し下げ、ストッパー部６２が上方に移動して、他方の足底板９２の垂直板９４に形成された第１の係止突起９４ｂの係止を解除する。図４，５に示すように、玩具本体１０、即ち一対のフレーム１２，１３は、足底板９１，９２が接地した状態で、バネ部材９９の弾性により連結軸９７，９８を中心として起立し、フレーム１２，１３が足底板９１，９２と略直角となると、他方の足底板９２の垂直板９４に形成された第２の係止突起９４ｃが、フレーム１３に形成された突起１６に係止される。
【００８３】
駆動輪２６，２６が接地面から離れるが、玩具本体１０が起立すると、フレーム１２に設けられた歯車群４１の最終歯車４７が足部材９０の従動平歯車１０３と噛み合う。上記したように、ゼンマイに蓄えられた動力により、大平歯車４５が回転しているので、小平歯車４６を介して最終歯車４７は回転しており、この最終歯車４７の回転が従動平歯車１０３に伝わり、車軸１００及び車輪１０１，１０２が回転して、そのまま起立走行（歩行）を続行する。
【００８４】
トップカバー１３０の上後部カバー１３２は、足部材９０の一方の垂直板９３の係止縁９３ｂから外れ、バネ部材１４１の弾性により開く方向に回動する。上後部カバー１３２は、開く方向に回動するとロボット形態の背部を構成する。後部右側面カバー１３４は、閉じた前部右側面カバー１２１から外れ、バネ部材１４２の弾性により開く方向に回動する。後部左側面カバー１３５は、閉じた前部左側面カバー１２５から外れ、バネ部材１４３の弾性により開く方向に回動する。
【００８５】
さらに駆動カム５１のＸ方向の回転により、第２の係合爪５３が第２の係止解除片７０の係止部７４を係止して押し上げ、係合部７２が係合片８１の係合凸部８３を弾性片７５の弾性に抗して押し下げ、揺動軸８０を揺動させる。揺動軸８０が揺動することにより、揺動軸８０の両側に設けられた係止片８７，８８が前部右側面カバー１２１と前部左側面カバー１２５から外れる。前部右側面カバー１２１は、連結軸１２２に巻装されたバネ部材１２３によって先部が外側に展開する。前部右側面カバー１２１は、開くとロボット玩具の右上腕部を構成する。前部左側面カバー１２５は、連結軸１２６に巻装されたバネ部材１２７によって先部が外側に展開する。前部左側面カバー１２５は、開くとロボット玩具の左上腕部を構成する。
【００８６】
揺動軸８０が揺動すると、揺動突起８５を介して摺動係止板７７が摺動して前面カバー１１６から外れ、前面カバー１１６がバネ部材１１７の弾性により回転して、前面カバー１１６の内面に固定されたロボット玩具の頭部１１８が表出する。このように、形態変化玩具１は、走行中に、起立して足部材９０及び頭部１１８を突出させ、腕部材１２１，１２５を引き出して、自動車形態からロボット形態に変化させることができる。
【００８７】
なお、図６に示すように、前記歯車群４１に、駆動部２０の動力を駆動カム５１に伝達する時と、伝達しない時に切り替えることができる切替手段５５を設けても良い。前記中間平歯車４２を揺動板５６に回動可能に取り付け、中間平歯車４２と一体の中間小歯車４３が常に大平歯車４５と噛み合うようにして、当該揺動板５６を大平歯車４５の支軸４５ａに回動可能に取り付ける。揺動板５６に操作板５７を設ける。揺動板５６又は操作板５７に係止凸部を形成し、一方のフレーム１２に係止凸部と係脱する係止凹部を形成することにより、揺動板５６の位置決めを行うことができる。即ち、切替手段５５は、駆動部２０の動力を駆動カム５１に伝達する中間平歯車（伝達手段）４２と、中間平歯車（伝達手段）４２を伝達位置と非伝達位置に切り替える揺動板（切替手段）５６とからなり、中間平歯車（伝達手段）４２が出力歯車３３と噛み合う位置（伝達位置）にある時には駆動カム５１が回転するので変形し、中間平歯車（伝達手段）４２が出力歯車３３と噛み合わない位置（非伝達位置）にある時には変形しない。伝達位置と非伝達位置は、前述したように、揺動板５６又は操作板５７に形成された係止凸部とフレーム１２に形成された係止凹部を係脱させて位置決めされる。このように、形態変化玩具１は、操作板５７を介して揺動板５６を揺動させ、中間平歯車（伝達手段）４２を出力歯車３３と噛み合う位置（伝達位置）で位置決めさせると、上述したように変形を行う玩具として遊ぶことができ、中間平歯車（伝達手段）４２を出力歯車３３と噛み合わない位置（非伝達位置）で位置決めさせると、変形しないので、単なるゼンマイ走行玩具として遊ぶことができる。
【００８８】
また、図７に示すように、前記伝達軸４８に、駆動部２０の動力を駆動カム５１に伝達する時と、伝達しない時に切り替えることができる切替手段６７を設けても良い。この切替手段６７は、伝達軸４８を右軸４８ａと左軸４８ｂに分割し、右軸４８ａと左軸４８ｂに歯車６８ａ，６８ｂを固定し、両歯車６８ａ，６８ｂに同時に噛み合う切替歯車（伝達手段）６９ａを揺動部材６９に回動可能に取り付ける。切替手段６７は、揺動部材６９を操作して、切替歯車（伝達手段）６９ａを歯車６８ａと６８ｂに噛み合わせると、駆動部２０の動力を駆動カム５１に伝達することができ、揺動部材６９を操作して、切替歯車（伝達手段）６９ａを歯車６８ａと６８ｂから離すと、駆動部２０の動力が駆動カム５１に伝達できなくなる。このように、形態変化玩具１は、揺動部材６９を操作して、切替歯車（伝達手段）６９ａを歯車６８ａ，６８ｂと噛み合う位置（伝達位置）で位置決めさせると、上述したように変形を行う玩具として遊ぶことができ、切替歯車６９ａ（伝達手段）を歯車６８ａ，６８ｂと噛み合わない位置（非伝達位置）で位置決めさせると、変形しないので、単なるゼンマイ走行玩具として遊ぶことができる。
【産業上の利用可能性】
【００８９】
本願発明は、自動車玩具形態からロボット玩具形態に変化する形態変化玩具に利用可能である。
【符号の説明】
【００９０】
１  形態変化玩具
１０  玩具本体
１１  枠部材
１２  フレーム
１２ａ  軸受け片
１３  フレーム
１３ａ  軸受け片
１５  連結板
１６  突起
１７  軸受け板
１８  軸受け板
２０  ゼンマイユニット（駆動部）
２１  ケース
２２  駆動軸
２３  出力軸
２５  遊動軸
２６  駆動輪
２７  遊動輪
３１  回転体
３２  係合凹部
３３  出力歯車
３５  係合凸部
３６  バネ（弾性部材）
４１  歯車群
４２  中間平歯車（伝達手段）
４３  中間小歯車
４５  大平歯車
４５ａ  支軸
４６  小平歯車
４７  最終歯車
４８  伝達軸
４８ａ  右軸
４８ｂ  左軸
５１  駆動カム
５２  第１の係合爪
５３  第２の係合爪
５５  切替手段
５６  揺動板
５７  操作板
６０  第１の係止解除片（第１の係止部材）
６１  中心部
６２  ストッパー部
６３  弾性部
６４  係止部
６５  弾性片
６６  突起
６７  切替手段
６８ａ  歯車
６８ｂ  歯車
６９  揺動部材
６９ａ  切替歯車（伝達手段）
７０  第２の係止解除片（第２の係止部材）
７１  中心部
７２  係合部
７３  ストッパー
７４  係止部
７５  弾性片
７６  突起
７７  摺動係止板
７８  円孔
７９  長孔
８０  揺動軸
８１  係合片
８２  弾性軸
８３  係合凸部
８５  揺動突起
８６  係止突起
８７  係止片
８８  係止片
９０  足部材（第１の変形部）
９１  足底板
９１ａ  切欠部
９２  足底板
９２ａ  切欠部
９３  垂直板
９３ａ  取付板
９３ｂ  係止縁
９４  垂直板
９４ａ  取付板
９４ｂ  第１の係止突起
９４ｃ  第２の係止突起
９５  連結板
９７  連結軸
９８  連結軸
９９  バネ部材（弾性部材）
１００  車軸
１０１  車輪
１０２  車輪
１０３  従動平歯車
１１０  カバー体
１１１  フロントカバー
１１２  下カバー
１１３  傾斜カバー
１１５  支軸
１１６  前面カバー
１１７  バネ部材（弾性部材）
１１８  ロボット玩具の頭部（第２の変形部）
１２１  前部右側面カバー（右上腕部  第２の変形部）
１２２  連結軸
１２３  バネ部材（弾性部材）
１２４  係止部
１２５  前部左側面カバー（左上腕部  第２の変形部）
１２６  連結軸
１２７  バネ部材（弾性部材）
１２８  係止部
１３０  トップカバー
１３１  上前部カバー
１３２  上後部カバー（背部  第３の変形部）
１３３  後部カバー
１３４  後部右側面カバー
１３５  後部左側面カバー
１３６  支軸
１３７  支軸
１３８  支軸
１３９  支軸
１４１  バネ部材（弾性部材）
１４２  バネ部材（弾性部材）
１４３  バネ部材（弾性部材）
【図１】
2013244198.tif 000003
【図２】
2013244198.tif 000004
【図３】
2013244198.tif 000005
【図４】
2013244198.tif 000006
【図５】
2013244198.tif 000007
【図６】
2013244198.tif 000008
【図７】
2013244198.tif 000009
【図８】
2013244198.tif 000010
【図９】
2013244198.tif 000011
【図１０】
2013244198.tif 000012
【図１１】
2013244198.tif 000013
【図１２】
2013244198.tif 000014
【図１３】
2013244198.tif 000015
【図１４】
2013244198.tif 000016
【図１５】
2013244198.tif 000017
【図１６】
2013244198.tif 000018
【図１７】
2013244198.tif 000019
【図１８】
2013244198.tif 000020
【図１９】
2013244198.tif 000021
【図２０】
2013244198.tif 000022
【図２１】
2013244198.tif 000023
【図２２】
2013244198.tif 000024
【図２３】
2013244198.tif 000025
【図２４】
2013244198.tif 000026
【図２５】
2013244198.tif 000027
【図２６】
2013244198.tif 000028
【図２７】
2013244198.tif 000029
【図２８】
2013244198.tif 000030
【図２９】
2013244198.tif 000031
【図３０】
2013244198.tif 000032
【図３１】
2013244198.tif 000033
【図３２】
2013244198.tif 000034
【図３３】
2013244198.tif 000035